(57)【要約】【課題】ＡＣアダプタを内蔵した場合に、ＡＣアダプタの発熱を抑制すること。【解決手段】実施形態によれば、ＡＣアダプタが脱着可能な電子機器は、検出手段と、制御手段とを具備する。検出手段は、前記ＡＣアダプタが装着されているかを検出する。制御手段は、前記検出手段が前記ＡＣアダプタの装着を検出したか否かに応じて、前記電子機器の消費電力の抑制の実行と非実行とを制御する。【選択図】    図３
2014164445.tif 000002
【特許請求の範囲】
【請求項１】
ＡＣアダプタが脱着可能な電子機器であって、
前記ＡＣアダプタが前記電子機器に装着されているかを検出する検出手段と、
前記検出手段が前記ＡＣアダプタの装着を検出したか否かに応じて、前記電子機器の消費電力の抑制の実行と非実行とを制御する制御手段と
を具備する電子機器。
【請求項２】
前記電子機器の消費電力を測定する第１の測定手段を更に備え、
前記制御手段は、前記検出手段が前記ＡＣアダプタの装着を検出し、前記第１の測定手段によって測定された消費電力が設定値を超えている場合に、前記電子機器の消費電力を前記設定値より低くする、請求項１記載の電子機器。
【請求項３】
前記制御手段は、前記検出手段が前記ＡＣアダプタの装着を検出し、前記電子機器がオン状態であり、前記第１の測定手段によって測定された消費電力が設定値を超えている場合に、前記電子機器の消費電力を前記設定値より低くする請求項２に記載の電子機器。
【請求項４】
前記ＡＣアダプタの温度を測定する第２の測定手段を更に具備し、
前記制御手段は、前記検出手段が前記ＡＣアダプタの装着を検出し、前記第２の測定手段によって測定された温度が閾値を超えており、前記第１の測定手段によって測定された消費電力が設定値を超えている場合に、前記電子機器の消費電力を前記設定値より低くする請求項２に記載の電子機器。
【請求項５】
前記ＡＣバッテリは、前記電子機器に装着された場合に前記電子機器に接続されるサーミスタを具備し、
前記検出手段は、前記サーミスタが接続されているかに応じて、前記ＡＣアダプタが前記電子機器に装着されているかを検出する
請求項１に記載の電子機器。
【請求項６】
ＡＣアダプタと、前記ＡＣアダプタが脱着可能な電子機器とを含むシステムであって、
前記電子機器は、
前記ＡＣアダプタが前記電子機器に装着されているかを検出する検出手段と、
前記検出手段が前記ＡＣアダプタの装着を検出したか否かに応じて、前記電子機器の消費電力の抑制の実行と非実行とを制御する制御手段と
を具備する
システム。
【請求項７】
ＡＣアダプタが脱着可能な電子機器の制御方法であって、
ＡＣアダプタが装着されているかを判定し、
前記検出手段が前記ＡＣアダプタの装着を検出したか否かに応じて、前記電子機器の消費電力の抑制の実行と非実行とを制御する
制御方法。
【発明の詳細な説明】
【技術分野】
【０００１】
本発明の実施形態は、電子機器に装着されたＡＣアダプタの発熱を抑制する技術に関する。
【背景技術】
【０００２】
近年、コンピュータ等の電子機器から脱着可能なＡＣアダプタの開発が行われている。
【先行技術文献】
【特許文献】
【０００３】
【特許文献１】特開平７−９３０６５号公報
【発明の概要】
【発明が解決しようとする課題】
【０００４】
ＡＣアダプタを電子機器に内蔵した場合、露出面積が減少するために放熱効率が低くなり、ＡＣアダプタの温度が上昇しやすくなる。そのため、ＡＣアダプタが内蔵されている場合に、ＡＣアダプタからの発熱を抑制することが望まれている。
【０００５】
本発明の目的は、ＡＣアダプタを内蔵した場合に、ＡＣアダプタの発熱を抑制することが可能な電子機器および消費電力制御方法を提供することにある。
【課題を解決するための手段】
【０００６】
実施形態によれば、ＡＣアダプタが脱着可能な電子機器は、検出手段と、制御手段とを具備する。検出手段は、前記ＡＣアダプタが装着されているかを検出する。制御手段は、前記検出手段が前記ＡＣアダプタの装着を検出したか否かに応じて、前記電子機器の消費電力の抑制の実行と非実行とを制御する。
【図面の簡単な説明】
【０００７】
【図１】実施形態の電子機器の外観の一例を示す斜視図である。
【図２】実施形態の電子機器のシステム構成を示すブロック図。
【図３】ＡＣアダプタがコンピュータに装着された場合と、ＡＣアダプタがコンピュータに対して外付けされた場合を示すブロック図。
【図４】コンピュータの消費電力のリミット値を設定する手順を示すフローチャート。
【図５】消費電力のリミット値が定格消費電力値の８０％に設定されている場合の制御部によって行われる処理の手順を示すフローチャートである。
【図６】コンピュータの消費電力のリミット値を設定する別の手順を示すフローチャート。
【図７】コンピュータの消費電力のリミット値を設定する別の手順を示すフローチャート。
【発明を実施するための形態】
【０００８】
以下、図面を参照して、実施形態について説明する。  
図１は、実施形態に係る電子機器の外観構成を示す図である。電子機器は、例えば、ノートブック型のパーソナルコンピュータ、タブレット端末、デスクトップ型パーソナルコンピュータなどにより実現することができる。以下の説明では、電子機器は、ノートブック型のパーソナルコンピュータ１０として実現されている場合を想定する。
【０００９】
図１は、ディスプレイユニットを開いた状態におけるコンピュータ１０を正面側から見た斜視図である。パーソナルコンピュータ１０は、コンピュータ本体１１と、ディスプレイユニット１２とを備える。ディスプレイユニット１２には、液晶表示装置（ＬＣＤ）３１のような表示装置が組み込まれている。さらに、ディスプレイユニット１２の上端部には、カメラ（Ｗｅｂカメラ）３２が配置されている。
【００１０】
ディスプレイユニット１２は、コンピュータ本体１１の上面が露出される開放位置とコンピュータ本体１１の上面がディスプレイユニット１２で覆われる閉塞位置との間を回動自在にコンピュータ本体１１に取り付けられている。コンピュータ本体１１は薄い箱形の筐体を有しており、その上面にはキーボード１３、タッチパッド１４、指紋センサ１５、パーソナルコンピュータ１０をパワーオン／オフするための電源スイッチ１６、幾つかの機能ボタン１７、及びスピーカ１８Ａ、１８Ｂが配置されている。
【００１１】
また、コンピュータ本体１１には、外付けコネクタ２１が設けられている。外付けコネクタ２１はコンピュータ本体１１の側面、例えば左側面に設けられている。外付けコネクタ２１には、外部電源装置に接続されているコードに設けられたプラグが取り外し自在に接続される。外部電源装置としては、ＡＣアダプタを用いることが出来る。ＡＣアダプタは商用の外部電源（ＡＣ電力）をＤＣ電力に変換する電源装置である。外部電源装置に接続されているコードは取り外し可能である。コードは取り外した場合、ＡＣアダプタは、コンピュータ本体１１に装着させることも可能である。つまり、ＡＣアダプタは、コンピュータ１０から脱着可能である。ＡＣアダプタの装着箇所としては、例えばコンピュータ本体１１の筐体内や、コンピュータ本体１１の筐体外表面の取り付け具等が挙げられる。
【００１２】
なおＡＣアダプタは、例えばＧａＮ製のスイッチング素子を用いることにより小型化が実現される。ＧａＮ製のスイッチング素子により、スイッチング周波数を数ＭＨｚに高め、ＡＣアダプタのインダクタやキャパシタを小型化することができる。
【００１３】
バッテリ２０は、例えば、コンピュータ本体１１の後端部に取り外し自在に装着される。バッテリ２０はパーソナルコンピュータ１０に内蔵されるバッテリであってもよい。
【００１４】
パーソナルコンピュータ１０は、外部電源装置からの電力またはバッテリ２０からの電力によって駆動される（ＡＣ電源駆動、バッテリ駆動）。パーソナルコンピュータ１０の外付けコネクタ２１に外部電源装置が接続されている、またはコンピュータ本体１１内にＡＣアダプタが内蔵されているならば、パーソナルコンピュータ１０は外部電源装置からの電力によって駆動される。また、外部電源装置からの電力は、バッテリ２０を充電するためにも用いられる。パーソナルコンピュータ１０の外付けコネクタ２１に外部電源装置が接続されていない期間中は、パーソナルコンピュータ１０はバッテリ２０からの電力によって駆動される。
【００１５】
さらに、コンピュータ本体１１には、幾つかのＵＳＢポート２２、ＨＤＭＩ（High-Definition Multimedia Interface）出力端子２３、及びＲＧＢポート２４が設けられている。
【００１６】
図２は、実施形態におけるパーソナルコンピュータ１０のシステム構成を示している。パーソナルコンピュータ１０は、ＣＰＵ１１１、システムコントローラ１１２、メインメモリ１１３、グラフィクスプロセッシングユニット（ＧＰＵ）１１４、サウンドコーデック１１５、ＢＩＯＳ−ＲＯＭ１１６、ハードディスクドライブ（ＨＤＤ）１１７、光ディスクドライブ（ＯＤＤ）１１８、無線ＬＡＮモジュール１２１、エンベデッドコントローラ／キーボードコントローラＩＣ（ＥＣ／ＫＢＣ）１３０、システム電源回路１４１、充電回路１４２、Ｃｈａｒｇｅｒ  ＩＣ１４３等を備えている。
【００１７】
ＣＰＵ１１１は、パーソナルコンピュータ１０の各コンポーネントの動作を制御するプロセッサである。ＣＰＵ１１１は、ＨＤＤ１１７からメインメモリ１１３にロードされる各種プログラムを実行する。プログラムは、オペレーティングシステム（ＯＳ）２０１及び各種アプリケーションプログラムを含む。
【００１８】
また、ＣＰＵ１１１は、不揮発性メモリであるＢＩＯＳ−ＲＯＭ１１６に格納される基本入出力システム（ＢＩＯＳ）も実行する。ＢＩＯＳはハードウェア制御のためのシステムプログラムである。
【００１９】
ＧＰＵ１１４は、パーソナルコンピュータ１０のディスプレイモニタとして使用されるＬＣＤ３１を制御する表示コントローラである。ＧＰＵ１１４は、ビデオメモリ（ＶＲＡＭ）１１４Ａに格納される表示データからＬＣＤ３１に供給すべき表示信号（ＬＶＤＳ信号）を生成する。さらに、ＧＰＵ１１４は、表示データからアナログＲＧＢ信号及びＨＤＭＩビデオ信号を生成することもできる。アナログＲＧＢ信号はＲＧＢポート２４を介して外部ディスプレイに供給される。ＨＤＭＩ出力端子２３は、ＨＤＭＩビデオ信号（非圧縮のデジタル映像信号）と、デジタルオーディオ信号とを一本のケーブルで外部ディスプレイに送出することができる。ＨＤＭＩ制御回路１１９は、ＨＤＭＩビデオ信号及びデジタルオーディオ信号をＨＤＭＩ出力端子２３を介して外部ディスプレイに送出するためのインタフェースである。
【００２０】
システムコントローラ１１２は、ＣＰＵ１１１と各コンポーネントとの間を接続するブリッジデバイスである。システムコントローラ１１２は、ハードディスクドライブ（ＨＤＤ）１１７及び光ディスクドライブ（ＯＤＤ）１１８を制御するためのシリアルＡＴＡコントローラを内蔵している。
【００２１】
また、システムコントローラ１１２には、ＵＳＢポート２２、無線ＬＡＮモジュール１２１、Ｗｅｂカメラ３２、指紋センサ１５等のデバイスが接続される。
【００２２】
さらに、システムコントローラ１１２は、バスを介して接続される各デバイスとの通信を実行する。
【００２３】
ＥＣ／ＫＢＣ１３０は、バスを介して、システムコントローラ１１２と接続されている。また、ＥＣ／ＫＢＣ１３０は、シリアルバスを介して、Ｃｈａｒｇｅｒ  ＩＣ１４３、及びバッテリ２０と相互に接続されている。
【００２４】
ＥＣ／ＫＢＣ１３０は、パーソナルコンピュータ１０の電力管理を実行するための電力管理コントローラであり、例えば、キーボード（ＫＢ）１３及びタッチパッド１４などを制御するキーボードコントローラを内蔵したワンチップマイクロコンピュータとして実現されている。ＥＣ／ＫＢＣ１３０は、ユーザによる電源スイッチ１６の操作に応じてパーソナルコンピュータ１０をパワーオン及びパワーオフする機能を有している。パーソナルコンピュータ１０のパワーオン及びパワーオフの制御は、ＥＣ／ＫＢＣ１３０によってシステム電源回路１４１に対し実行される。
【００２５】
Ｃｈａｒｇｅｒ  ＩＣ１４３は、ＥＣ／ＫＢＣ１３０の制御のもとで充電回路１４２を制御するＩＣである。ＥＣ／ＫＢＣ１３０、Ｃｈａｒｇｅｒ  ＩＣ１４３、及びシステム電源回路１４１は、パーソナルコンピュータ１０がパワーオフされている期間中も、バッテリ２０またはＡＣアダプタ１５０からの電力によって動作する。
【００２６】
システム電源回路１４１は、バッテリ２０からの電力、またはコンピュータ本体１１に外部電源として接続されるＡＣアダプタ１５０からの電力を用いて、各コンポーネントへ供給すべき電力（動作電源）を生成する。また、システム電源回路１４１は、充電回路１４２によってバッテリ２０に充電する電力を供給する。
【００２７】
充電回路１４２は、Ｃｈａｒｇｅｒ  ＩＣ１４３の制御により、システム電源回路１４１を通じで供給される電力をバッテリ２０に充電する。
【００２８】
ＡＣアダプタ１５０は、コンピュータ１０に装着することも可能である。ＡＣアダプタ１５０がコンピュータ１０に装着される場合、ＡＣアダプタ１５０は、内蔵コネクタ１６０に接続される。
【００２９】
図３は、ＡＣアダプタ１５０がコンピュータ１０に装着された場合と、ＡＣアダプタ１５０がコンピュータ１０に対して外付けされた場合を示す図である。
【００３０】
ＥＣ／ＫＢＣ１３０は、温度測定部３０１、電力測定部３０２、制御部３０３等を備えている。
【００３１】
ＡＣアダプタ１５０は、＋端子１５０Ａ、−端子１５０Ｂ、温度端子１５０Ｃ、およびサーミスタＴ等を備えている。
【００３２】
ＡＣアダプタ１５０がコンピュータ１０に対して外付けされる場合、ＡＣアダプタの＋端子１５０Ａおよび−端子１５０Ｂが外付けコネクタ２１を介してコンピュータに接続される。＋端子１５０Ａは、配線Ｗ1を介してシステム負荷１０Ａに接続されている。配線Ｗ1には、図示されていないシステム電源回路１４１が挿入されている。＋端子１５０Ａからの電力は、システム電源回路１４１を介してシステム負荷１０Ａに供給される。−端子１５０Ｂは、グランドに接続されている。温度端子１５０Ｃは、コンピュータ１０に接続されない。
【００３３】
ＡＣアダプタ１５０がコンピュータ１０に装着される場合、ＡＣアダプタの＋端子１５０Ａ、−端子１５０Ｂおよび温度端子１５０Ｃが内蔵コネクタ１６０を介してコンピュータに接続される。＋端子１５０Ａは、配線Ｗ3および配線Ｗ1を介してシステム負荷１０Ａに接続されている。−端子１５０Ｂは、グランドに接続されている。サーミスタＴの一端は、温度端子１５０Ｃに接続されている。サーミスタＴの他端は、グランドに接続されている。温度端子１５０Ｃは、配線Ｗ4を介して温度測定部３０１に接続されている。
【００３４】
抵抗Ｒ1の一端に配線Ｗ1が接続されている。抵抗Ｒ1の他端に抵抗Ｒ2の一端が接続されている。抵抗Ｒ2の他端がグランドに接続されている。抵抗Ｒ1の他端と抵抗Ｒ2の一端との間に配線Ｗ2の一端が接続されている。配線Ｗ2の他端が電圧測定部３０２Ａに接続されている。配線Ｗ1に抵抗Ｒ3が挿入されている。基準電圧ＲＥＦＶが抵抗Ｒ4を介して配線Ｗ4に入力されている。
【００３５】
電圧測定部３０２Ａは、配線Ｗ2の電圧Ｖoutを測定する。電圧測定部３０２Ａは、電圧ＶoutからＡＣアダプタ１５０から供給された電圧Ｖccを測定する。Ｖccは、｛（Ｒ1＋Ｒ2）／Ｒ2｝×Ｖoutである。
【００３６】
電流測定部３０２Ｂは、抵抗Ｒ3に流れる電圧Ｖiを測定することで、ＡＣアダプタ１５０から供給された電流Ｉの値を測定する。電流Ｉは、Ｖi／Ｒ3である。
【００３７】
電力測定部３０２は、測定された電圧Ｖccと電流Ｉに基づいてコンピュータ１０の消費電力を測定する。
【００３８】
温度測定部３０１は、配線Ｗ4の電圧値を測定することで、測定された電圧と基準電圧ＲＥＦＶと抵抗Ｒ4に基づいて、抵抗値を測定する。サーミスタＴは、温度に応じて抵抗値が変換するので、温度に応じて温度測定部３０１によって測定される抵抗値が変化する。温度測定部３０１は、抵抗値に基づいて温度を測定する。
【００３９】
制御部３０３は、温度測定部３０１が温度を測定しているかに応じてＡＣアダプタ１５０がコンピュータ１０に装着されているかを判定する。ＡＣアダプタ１５０がコンピュータ１０に装着されていなければ、温度測定部３０１の入力電圧は、基準電圧ＲＥＦＶになり、温度を測定することができない。従って、温度測定部３０１が温度を測定している場合に、制御部３０３は、ＡＣアダプタ１５０がコンピュータ１０に装着されていると判定する。また、従って、温度測定部３０１が温度を測定することができない場合に、制御部３０３は、ＡＣアダプタ１５０がコンピュータ１０に装着されていないと判定する。
【００４０】
制御部３０３は、ＡＣアダプタ１５０がコンピュータ１０に装着されているかに応じて、コンピュータ１０の消費電力のリミット値を設定する。制御部３０３は、設定されたリミット値に応じて、コンピュータ１０の消費電力を制御する。
【００４１】
ＡＣアダプタ１５０がコンピュータ１０に内蔵されている場合、ＡＣアダプタ１５０からの放熱効率が低くなり、ＡＣアダプタ１５０の温度が上昇してしまう。本コンピュータ１０は、ＡＣアダプタ１５０がコンピュータ１０に内蔵されている場合、コンピュータ１０の消費電力を抑制することで、ＡＣアダプタ１５０の温度が上昇することを防止する。
【００４２】
以下に、コンピュータ１０の消費電力のリミット値を設定する手順を説明する。図４は、コンピュータ１０の消費電力のリミット値を設定する手順を示すフローチャートである。
【００４３】
制御部３０３は、ＡＣアダプタ１５０がコンピュータ１０に内蔵されているかを確認する（ステップＢ１１）。ＡＣアダプタ１５０が内蔵されている場合（ステップＢ１２のＹｅｓ）、制御部３０３は、コンピュータ１０の消費電力のリミット値を定格消費電力値の８０％に設定する（ステップＢ１３）。ＡＣアダプタ１５０が内蔵されていない場合（ステップＢ１２のＮｏ）、制御部３０３は、コンピュータ１０の消費電力のリミット値を定格消費電力値の１００％に設定する（ステップＢ１４）。
【００４４】
次に、コンピュータ１０の消費電力のリミット値が定格消費電力値の８０％に設定されている場合に制御部３０３によって行われる処理の手順を説明する。
【００４５】
図５は、消費電力のリミット値が定格消費電力値の８０％に設定されている場合に実行される処理の手順を示すフローチャートである。
【００４６】
電力測定部３０２は、コンピュータ１０の消費電力を測定する（ステップＢ２１）。制御部３０３は、消費電力がリミット値より高いかを判定する（ステップＢ２２）。リミット値より高いと判定した場合（ステップＢ２２のＹｅｓ）、制御部３０３は、コンピュータ１０の消費電力を低くするための電力低下処理を実行する（ステップＢ２３）。
【００４７】
制御部３０３は、電力低下処理において、以下に説明する複数の省電力制御（１）（２）（３）（４）を段階的に実行させることで、消費電力がリミット値を越えないようにする。
【００４８】
制御部３０３は、例えば電力低下処理において、優先順位（１）（２）（３）（４）の順番で省電力制御を実行する。すなわち、制御部３０３は、消費電力がリミット値を越えなくなるまで、（１）充電電流制限（バッテリ２０の充電中の場合）、（２）充電停止（バッテリ２０の充電中の場合）、（３）ＣＰＵ１１１の処理能力低下、（４）ＬＣＤ３１の輝度低下を段階的に実行させる。
【００４９】
（変形例）
図６は、コンピュータの消費電力のリミット値を設定する別の手順を示すフローチャートである。
【００５０】
制御部３０３は、ＡＣアダプタ１５０がコンピュータ１０に内蔵されているかを確認する（ステップＢ３１）。制御部３０３は、コンピュータ１０がＯＮ／オフ状態を確認する（ステップＢ３２）。ＡＣアダプタ１５０が内蔵されていない場合（ステップＢ３３のＮｏ）、制御部３０３は、コンピュータ１０の消費電力のリミット値を定格消費電力値の１００％に設定する（ステップＢ３６）。
【００５１】
ＡＣアダプタ１５０が内蔵され（ステップＢ３３のＹｅｓ）、コンピュータがオン状態ではない場合（ステップＢ３４のＮｏ）、制御部３０３は、コンピュータ１０の消費電力のリミット値を定格消費電力値の１００％に設定する（ステップＢ３６）。
【００５２】
ＡＣアダプタ１５０が内蔵され（ステップＢ３３のＹｅｓ）、コンピュータがオン状態の場合（ステップＢ３４のＹｅｓ）、制御部３０３は、コンピュータ１０の消費電力のリミット値を定格消費電力値の８０％に設定する（ステップＢ３５）。
【００５３】
図７は、コンピュータの消費電力のリミット値を設定する別の手順を示すフローチャートである。
【００５４】
制御部３０３は、ＡＣアダプタ１５０がコンピュータ１０に内蔵されているかを確認する（ステップＢ４１）。制御部３０３は、ＡＣアダプタ１５０の温度を確認する（ステップＢ４２）。ＡＣアダプタ１５０が内蔵されていない場合（ステップＢ４３のＮｏ）、制御部３０３は、コンピュータ１０の消費電力のリミット値を定格消費電力値の１００％に設定する（ステップＢ４６）。
【００５５】
ＡＣアダプタ１５０が内蔵され（ステップＢ４３のＹｅｓ）、ＡＣアダプタ１５０の温度が閾値より高くない場合（ステップＢ４４のＮｏ）、制御部３０３は、コンピュータ１０の消費電力のリミット値を定格消費電力値の１００％に設定する（ステップＢ４６）。
【００５６】
ＡＣアダプタ１５０が内蔵され（ステップＢ４３のＹｅｓ）、ＡＣアダプタ１５０の温度が閾値より高い場合（ステップＢ４４のＹｅｓ）、制御部３０３は、コンピュータ１０の消費電力のリミット値を定格消費電力値の８０％に設定する（ステップＢ４５）。
【００５７】
本実施形態の電子機器によれば、ＡＣアダプタがコンピュータ１０に装着されている場合に、コンピュータ１０の消費電力を設定値より低くすることで、ＡＣアダプタ１５０から供給される電力が少なくなるので、ＡＣアダプタ１５０の発熱を抑制することが可能になる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１０…パーソナルコンピュータ（電子機器）、１３０…エンベデッドコントローラ／キーボードコントローラＩＣ、１５０…ＡＣアダプタ、１５０Ａ…＋端子、１５０Ｂ…−端子、１５０Ｃ…温度端子、１６０…内蔵コネクタ、３０１…温度測定部、３０２…電力測定部、３０２Ａ…電圧測定部、３０２Ｂ…電流測定部、３０３…制御部、Ｔ…サーミスタ。
【図１】
2014164445.tif 000003
【図２】
2014164445.tif 000004
【図３】
2014164445.tif 000005
【図４】
2014164445.tif 000006
【図５】
2014164445.tif 000007
【図６】
2014164445.tif 000008
【図７】
2014164445.tif 000009